(57)【特許請求の範囲】
【請求項１】
音声信号を変調した無線信号を送信する送信機と前記送信機から送信された無線信号を受信して音声出力する受信機とを含む無線通信システムであって、
前記送信機は、
前記受信機における前記音声出力にかかる出力制限を制限するための解除信号と前記出力制限を有効化する有効化信号とを生成する制限信号生成部と、
前記送信機の固有の情報を示す識別信号を生成する識別信号生成部と、
前記音声信号と前記識別信号と前記解除信号と前記有効化信号とを送信する送信部と、
送信の終了の際、前記送信部に前記解除信号の送信を停止させた後前記有効化信号を生成し、前記有効化信号を送信させた後前記識別信号を送信させる送信制御部と、
を備え、
前記受信機は、
前記送信機から送信された前記音声信号と前記識別信号と前記解除信号と前記有効化信号とを受信する受信部と、
前記解除信号を受信している間、前記音声出力にかかる出力制限を解除し、前記有効化信号を受信した場合に前記音声出力にかかる出力制限を有効とする制限解除部と、
を備えることを特徴とする無線通信システム。
【請求項２】
受信機に対して音声信号を変調した無線信号を送信する送信機であって、
前記受信機における音声出力にかかる出力制限を制限するための解除信号と前記出力制限を有効化する有効化信号とを生成する制限信号生成部と、
前記送信機の固有の情報を示す識別信号を生成する識別信号生成部と、
前記音声信号と前記識別信号と前記解除信号と前記有効化信号とを送信する送信部と、
送信の終了の際、前記送信部に前記解除信号の送信を停止させた後前記有効化信号を生成し、前記有効化信号を送信させた後前記識別信号を送信させる送信制御部と、
を備えることを特徴とする送信機。
【請求項３】
音声信号を変調した無線信号を送信する送信機と前記送信機から送信された無線信号を受信して音声出力する受信機との通信における受信機の音声出力を制限する音声出力制限方法であって、
前記送信機は、
前記受信機における前記音声出力にかかる出力制限を解除するための解除信号と前記出力制限を有効化する有効化信号とを生成し、
前記送信機の固有の情報を示す識別信号を生成し、
前記解除信号と前記音声信号とを送信し、
前記解除信号の送信を停止し、
前記有効化信号を送信し、
前記識別信号を送信し、
前記受信機は、
前記送信機から送信された前記音声信号と前記識別信号と前記解除信号と前記有効化信号とを受信し、
前記解除信号を受信している間、前記音声出力にかかる出力制限を解除し、
前記有効化信号を受信した場合に前記音声出力にかかる出力制限を有効とすることを特徴とする音声出力制限方法。
【請求項４】
受信機に対して音声信号を変調した無線信号を送信する送信機の送信方法であって、
前記受信機における音声出力にかかる出力制限を制限するための解除信号と前記出力制限を有効化する有効化信号とを生成し、
前記送信機の固有の情報を示す識別信号を生成し、
前記解除信号と前記音声信号とを送信し、
前記解除信号の送信を停止し、
前記有効化信号を送信した後、前記識別信号を送信することを特徴とする送信方法。
【発明の詳細な説明】
【技術分野】
【０００１】
本発明は、音声信号の無線通信に用いられる無線通信システム、送信機、音声出力制限方法、および送信方法に関する。
【背景技術】
【０００２】
無線通信を介して音声信号を送信する場合、送信側の無線機では、受信側の無線機においてスピーカの音声を有効に出力させるための解除信号を送信し、受信側の無線機では、受信した解除信号と、受信側に設定された解除信号とが一致すると、スピーカからの音声出力を許可する。また、通信の開始時や終了時には、送信側の無線機は、通信の開始や終了を示す識別信号を送信する。受信側の無線機は、識別信号を復調する。識別信号は、数値化された信号であって、音声と同じ帯域で伝送される。受信側では識別信号を復調すると可聴帯域となり、数値化された信号であるため雑音として聞こえることになる。
【０００３】
そこで、通信の開始時に、受信側の無線機が、受信した解除信号から遅延信号を生成し、この遅延信号が得られ、かつ、識別信号に含まれる識別情報が予め保持していた識別情報と一致すると、スピーカから音声出力を許可する技術が提案されている（例えば、特許文献１）。かかる技術では、通信の開始時において、遅延信号と所定の識別情報とが両方得られるまでスピーカの音声出力を制限するため、識別信号が音として復調されることによる雑音の発生を回避することができる。
【先行技術文献】
【特許文献】
【０００４】
【特許文献１】特許３２４７７８９号
【発明の概要】
【発明が解決しようとする課題】
【０００５】
ところで、識別情報による雑音の発生は、通信の開始時のみならず、通信の終了時にも生じ得る。しかし、特許文献１の技術を単純に通信の終了時に適応することはできないので、終了時の識別信号である終了識別信号が音として復調されて雑音となってしまう。
【０００６】
本発明は、このような課題に鑑み、通信終了時に、識別信号が音として復調されることによる雑音の発生を回避することが可能な、無線通信システム、送信機、音声出力制限方法、および送信方法を提供することを目的としている。
【課題を解決するための手段】
【０００９】
上記課題を解決するために、本発明の音声信号を変調した無線信号を送信する送信機と送信機から送信された無線信号を受信して音声出力する受信機とを含む無線通信システムは、
送信機は、受信機における音声出力にかかる出力制限を制限するための解除信号と出力制限を有効化する有効化信号とを生成する制限信号生成部と、送信機の固有の情報を示す識別信号を生成する識別信号生成部と、音声信号と識別信号と解除信号と有効化信号とを送信する送信部と、送信の終了の際、送信部に解除信号の送信を停止させた後有効化信号を生成し、有効化信号を送信させた後、識別信号を送信させる送信制御部と、を備え、
受信機は、送信機から送信された音声信号と識別信号と解除信号と有効化信号とを受信する受信部と、解除信号を受信している間、音声出力にかかる出力制限を解除し、有効化信号を受信した場合に音声出力にかかる出力制限を有効とする制限解除部と、を備えることを特徴とする。
【００１０】
上記課題を解決するために、本発明の受信機に対して音声信号を変調した無線信号を送信する送信機は、受信機における音声出力にかかる出力制限を制限するための解除信号と出力制限を有効化する有効化信号とを生成する制限信号生成部と、送信機の固有の情報を示す識別信号を生成する識別信号生成部と、音声信号と識別信号と解除信号と有効化信号とを送信する送信部と、送信の終了の際、送信部に解除信号の送信を停止させた後有効化信号を生成し、有効化信号を送信させた後識別信号を送信させる送信制御部と、を備えることを特徴とする。
【００１１】
上記課題を解決するために、本発明の音声信号を変調した無線信号を送信する送信機と送信機から送信された無線信号を受信して音声出力する受信機との通信における受信機の音声出力を制限する音声出力制限方法では、
送信機は、受信機における音声出力にかかる出力制限を解除するための解除信号と出力制限を有効化する有効化信号とを生成し、送信機の固有の情報を示す識別信号を生成し、解除信号と音声信号とを送信し、解除信号の送信を停止し、有効化信号を送信し、
識別信号を送信し、
受信機は、送信機から送信された音声信号と識別信号と解除信号と有効化信号とを受信し、解除信号を受信している間、音声出力にかかる出力制限を解除し、有効化信号を受信した場合に音声出力にかかる出力制限を有効とすることを特徴とする。
上記課題を解決するために、本発明の受信機に対して音声信号を変調した無線信号を送信する送信機の送信方法では、受信機における音声出力にかかる出力制限を制限するための解除信号と出力制限を有効化する有効化信号とを生成し、送信機の固有の情報を示す識別信号を生成し、解除信号と音声信号とを送信し、解除信号の送信を停止し、有効化信号を送信した後、識別信号を送信することを特徴とする。
【発明の効果】
【００１２】
本発明の無線機は、通信終了時に、識別信号が音として復調されることによる雑音の発生を回避することができる。
【図面の簡単な説明】
【００１３】
【図１】無線通信システムを説明するための説明図である。
【図２】無線機の電気的な構成を示した機能ブロック図である。
【図３】通信開始時の処理の流れを説明するための説明図である。
【図４】通信終了時の処理の流れを説明するための説明図である。
【図５】通信終了時の他の処理の流れを説明するための説明図である。
【図６】音声出力制限方法の処理の流れを示すシーケンス図である。
【発明を実施するための形態】
【００１４】
以下に添付図面を参照しながら、本発明の好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書および図面において、実質的に同一の機能、構成を有する要素については、同一の符号を付することにより重複説明を省略し、また本発明に直接関係のない要素は図示を省略する。
【００１５】
（無線通信システム１００）
図１は、無線通信システム１００を説明するための説明図である。特に、図１（ａ）は、識別信号を用いる場合を示し、図１（ｂ）は、識別信号を用いない場合を示す。図１（ａ）に示すように、無線通信システム１００は、無線機１１０（図中、１１０ａ、１１０ｂ、１１０ｃで示す）と、記録装置１１２とを含んで構成される。
【００１６】
無線機１１０ａは、ここでは送信機として機能し、ユーザが発する音声を収音して音声信号を生成し、その音声信号を変調し搬送波に重畳して電波として送信する。無線機１１０ｂ、１１０ｃは、ここでは受信機として機能し、特に、無線機１１０ｃは、管理者が用いる管理装置としても機能し、搬送波および後述するトーン信号の周波数に合わせて、無線機１１０ａが送信した電波を受信し、音声信号を復調して音声としてスピーカから出力する。
【００１７】
しかし、例えば、図１（ｂ）に示すように、無線機１１０ａが単に音声信号を送信するだけでは、無線機１１０ｂ、１１０ｃは、どの無線機１１０から送信された音声信号なのかを判別することができない。これでは、管理装置（無線機１１０ｃ）による無線機１１０の管理ができなくなってしまう。
【００１８】
そこで、図１（ａ）に示すように、送信側の無線機１１０ａは、通信の開始時には、音声信号より先に、無線機１１０ａに割り当てられた固有の情報であるＩＤ（IDentification）を示す開始識別信号（ＢＯＴ：Beginning Of Transmission）を送信し、通信の終了時には、音声信号の後に、無線機１１０ａに割り当てられた固有の情報であるＩＤを示す終了識別信号（ＥＯＴ：End Of Transmission）を送信する。
【００１９】
そして、管理装置としての無線機１１０ｃは、無線機１１０ａから送信された識別信号（開始識別信号、終了識別信号）を受信すると、その識別信号が開始識別信号なのか終了識別信号なのか、その識別信号に示されるＩＤ、および、その識別信号を受信した日付と時刻とを記録装置１１２に出力する。
【００２０】
記録装置１１２は、例えば、パーソナルコンピュータであり、無線機１１０ｃから出力されたＩＤと日付と時刻とをログとして内部メモリ（図示せず）に記録しておく。このように、ログを残すことで、いつ、どの無線機１１０がどのくらいの期間送信を行っていたのかを、後で確認することが可能となる。また、受信側の無線機１１０ｂは、開始識別信号を取得すると、その開始識別信号に示されたＩＤを液晶ディスプレイ（LCD:Liquid Crystal Display）等で構成される表示部１１６に表示する。
【００２１】
識別信号は、数値化された信号である。送信側の無線機では音声と同じ帯域にて識別信号を伝送するため、受信側の無線機では復調した識別信号は可聴帯域となる。そのため、識別信号までも音として復調し、その結果、雑音として出力されてしまう。
【００２２】
そこで、本実施形態では、通信開始時および通信終了時に、識別信号が音として復調されることによる雑音の発生を回避することができる無線通信システム１００、無線機１１０、音声出力制限方法を提案する。以下、無線機１１０ａ、１１０ｂに共通する無線機１１０の構成について具体的に説明し、その後、通信開始時および通信終了時の処理について詳述し、さらに、無線機１１０を用いた音声出力制限方法を説明する。
【００２３】
（無線機１１０）
図２は、無線機１１０の電気的な構成を示した機能ブロック図である。無線機１１０は、操作部１２０と、収音部１２２と、ＭＳＫ（Minimum-Shift Keying）エンコーダ１２４と、トーンエンコーダ１２６と、送信部１２８と、中央制御部１３０と、アンテナスイッチ１３２と、アンテナ１３４と、受信部１３６と、ＬＰＦ（Low Pass Filter）１３８と、トーンデコーダ１４０と、ＨＰＦ（High-Pass Filter）１４２と、ＭＳＫデコーダ１４４と、音声スイッチ１４６と、出力アンプ１４８と、スピーカ１５０とを含んで構成される。図２中、実線の矢印は、データや信号の流れを、破線の矢印は電力の流れを示す。
【００２４】
操作部１２０は、操作キー、十字キー、ジョイスティック等で構成され、ユーザの操作入力を受け付ける。収音部１２２は、マイクロホン等で構成され、音声等の空気振動を音声信号に変換し送信部１２８に出力する。
【００２５】
ＭＳＫエンコーダ１２４は、識別信号生成部として機能し、ＭＳＫ変調方式に基づく、開始識別信号および終了識別信号を生成し、送信部１２８に出力する。ＭＳＫ変調方式は、ＦＳＫ（Frequency Shift Keying）変調方式の一種であり、ＦＳＫの周波数偏移を最小とした変調方式である。ＭＳＫ変調方式を採用することで、簡易な構成で雑音に強い周波数変調および復調を実現できる。本実施形態ではＭＳＫ変調方式を用いているが、かかる場合に限られず、ＦＳＫ、ＤＰＳＫ（Differential Phase Shift Keying）、ＢＰＳＫ（Binary Phase Shift Keying）、ＱＰＳＫ（Quadrature Phase Shift Keying）、８ＰＳＫ，１６ＱＡＭ（Quadrature Amplitude Modulation）、６４ＱＡＭ等、様々な変調方式を用いることもできる。
【００２６】
トーンエンコーダ１２６は、制限信号生成部として機能し、受信側の無線機１１０ｂにおける、音声出力にかかる出力制限を解除するための解除信号を生成して送信部１２８に出力する。本実施形態において、解除信号は、例えば、トーンスケルチ機能に用いられるＣＴＣＳＳ（Continuous Tone Coded Squelch）信号やＤＣＳ（Digital Code Squelch）信号等のトーン信号である。ここで、ＣＴＣＳＳは、３００Ｈｚ以下の連続のシングルトーンであり、ＤＣＳは、ＣＴＣＳＳの数に制限があるので（多くても４０波）、その数をデジタル的に拡張したトーンである。また、トーンエンコーダ１２６は、解除信号のみならず、解除信号の送信の停止に応じて出力制限を再び有効化する有効化信号を生成する。有効化信号は、解除信号と同一の周波数のトーン信号であるが、位相が異なる。有効化信号は解除信号に続いて送信される。
【００２７】
送信部１２８は、開始識別信号と、音声信号と、終了識別信号と、解除信号とを合わせてミキサ（図示せず）で搬送波に重畳することでＦＭ（Frequency Modulation）変調してアンテナスイッチ１３２に出力する。
【００２８】
中央制御部１３０は、中央処理装置（ＣＰＵ）や信号処理装置（ＤＳＰ：Digital Signal Processor）、プログラム等が格納されたＲＯＭやメモリ、ワークエリアとしてのＲＡＭ等を含む半導体集積回路で構成され、無線機１１０全体を管理および制御する。中央制御部１３０は、送信制御部１６０、表示制御部１６２、制限解除部１６４としても機能する。
【００２９】
送信制御部１６０は、音声信号の送信の開始の際、ＭＳＫエンコーダ１２４に開始識別信号を送信させて送信完了した後、トーンエンコーダ１２６に解除信号を送信させる。また、送信制御部１６０は、音声信号の送信の終了の際、トーンエンコーダ１２６に解除信号の送信を停止させた後有効化信号を生成し、有効化信号を送信させた後ＭＳＫエンコーダ１２４に終了識別信号を送信させる。
【００３０】
表示制御部１６２は、後述するＭＳＫデコーダ１４４が出力した信号に、開始識別信号が含まれていると、その開始識別信号に示される送信側の無線機１１０ａのＩＤを表示部１１６に表示させる。
【００３１】
制限解除部１６４は、後述するトーンデコーダ１４０からの出力に基づいて、解除信号や有効化信号の受信の有無を判断し、予め設定された周波数の解除信号を受信している間、音声スイッチ１４６を制御して（閉じて）、音声スイッチ１４６に入力された音声信号をスピーカ１５０に出力させることで、音声出力にかかる出力制限を解除する。また、出力制限を解除している間に、解除信号が受信されなくなると、または、有効化信号を受信すると、制限解除部１６４は、音声スイッチ１４６を制御して（開いて）、音声スイッチ１４６に入力された音声信号を遮断させることで、音声出力にかかる出力制限を有効化する。
【００３２】
アンテナスイッチ１３２は、中央制御部１３０の制御に従って、電波の送信と受信とを切り替える。アンテナ１３４は、送信部１２８から出力された搬送波を、電波に変換して受信側の無線機１１０ｂに送信したり、逆に、送信側の無線機１１０ａから受信した電波を受信部１３６で処理可能な無線信号に変換したりする。
【００３３】
受信部１３６は、アンテナ１３４が変換した無線信号からミキサ（図示せず）とＬＰＦ（図示せず）を通じて搬送波を除去して復調し、開始識別信号、音声信号、終了識別信号および解除信号（さらに有効化信号）を取り出す。ＬＰＦ１３８は、所定周波数（例えば、３００Ｈｚ）より高い周波数成分を除去することで、解除信号または有効化信号を抽出する。
【００３４】
トーンデコーダ１４０は、ＬＰＦ１３８が抽出した信号が、予め設定された解除信号の周波数と一致する場合、その旨、制限解除部１６４に出力する。また、トーンデコーダ１４０は、ＬＰＦ１３８が抽出した信号が、有効化信号である場合、その旨、制限解除部１６４に出力する。
【００３５】
ＨＰＦ１４２は、所定周波数以下の周波数成分を除去し、開始識別信号、音声信号、および終了識別信号のみを抽出してＭＳＫデコーダ１４４と音声スイッチ１４６に出力する。ＭＳＫデコーダ１４４は、ＨＰＦ１４２が抽出した信号をＭＳＫ変調方式に基づいて復調し、ＨＰＦ１４２が抽出した信号が開始識別信号または終了識別信号である場合、中央制御部１３０が読み取り可能な信号に変換して中央制御部１３０に出力する。また、ＨＰＦ１４２が抽出した信号が音声信号である場合、ＭＳＫデコーダ１４４は中央制御部１３０へ信号を出力しない。
【００３６】
例えば、無線機１１０が管理装置として機能する場合、上述した無線機１１０ｃのようにログを残すために、中央制御部１３０は、ＭＳＫデコーダ１４４から受信した信号に基づいて、その識別信号が開始識別信号なのか終了識別信号なのか、その識別信号に示されるＩＤ、および、その識別信号を受信した日付と時刻とを記録装置１１２に出力する。
【００３７】
音声スイッチ１４６は、制限解除部１６４の制御指令に応じてスピーカ１５０の音声出力を制限（切断）する。出力アンプ１４８は、音声スイッチ１４６の出力信号を増幅する。スピーカ１５０は、出力アンプ１４８が増幅した信号を音声として出力する。
【００３８】
図３は、通信開始時の処理の流れを説明するための説明図である。特に、図３（ａ）は、開始識別信号と解除信号の送信タイミングを変更した場合を示し、図３（ｂ）は、従来の例を示す。図３（ａ）、（ｂ）において、両矢印１７０で示す期間は、ＭＳＫエンコーダ１２４が開始識別信号の生成準備を開始してから送信部１２８が開始識別信号を送出開始するまでに要する遅延時間（TX Modulation Delay Time）である。
【００３９】
図３（ｂ）に示すように、ユーザが無線機における操作部の送信スイッチ（ＰＴＴ：Push To Talk）をＯＮにすると、送信制御部は、初めにトーンエンコーダ１２６に解除信号を送信させ、両矢印１７０で示す期間の経過後、ＭＳＫエンコーダ１２４に開始識別信号の送信指示を行って、開始識別信号を送信させる。
【００４０】
この場合、受信側の無線機１１０ｂでは、先に解除信号を受信し、制限解除部１６４に音声出力の制限を解除させた後、開始識別信号を受信することとなる。そのため、受信側の無線機１１０ｂのスピーカ１５０は、開始識別信号を音として復調した雑音を出力することとなってしまう。
【００４１】
一方、図３（ａ）に示すように、本実施形態では、送信制御部１６０は、ＭＳＫエンコーダ１２４に、開始識別信号の送信指示を行って、開始識別信号を送信させ、送信が完了した後、トーンエンコーダ１２６に解除信号を送信させる。そのため、受信側の無線機１１０ｂでは、開始識別信号を受信している間であっても、解除信号を受信していないので音声スイッチ１４６は音声出力を制限しており、開始識別信号を音として復調した雑音は出力されない。
【００４２】
続いて、通信終了時の処理について説明する。図４は、通信終了時の処理の流れを説明するための説明図である。特に、図４（ａ）は、終了識別信号と解除信号の送信タイミングを変更した場合を示し、図４（ｂ）は、従来の例を示す。
【００４３】
図４（ｂ）に示すように、従来の例では、ユーザが無線機の送信スイッチをＯＦＦにすると、送信制御部は、トーンエンコーダに解除信号を送信させたまま、ＭＳＫエンコーダに終了識別信号の送信指示を行って、終了識別信号を送信させる。
【００４４】
この場合、受信側の無線機１１０ｂでは、解除信号の受信が継続したまま終了識別信号を受信することとなる。そのため、受信側の無線機１１０ｂのスピーカ１５０は、終了識別信号の送出時間分、終了識別信号を音として復調した雑音を出力することとなってしまう。
【００４５】
一方、図４（ａ）に示す場合においては、送信制御部１６０は、トーンエンコーダ１２６に解除信号の送信を停止させた後、ＭＳＫエンコーダ１２４に終了識別信号の送信指示を行って、終了識別信号を送信させる。そのため、受信側の無線機１１０ｂでは、終了識別信号を受信する際には、すでに解除信号を受信しておらず、音声スイッチ１４６は音声出力を制限しているため、終了識別信号を音として復調した雑音は出力されない。
【００４６】
本実施形態の無線機１１０で送信を行うと、受信側の無線機１１０ｂにおいて、終了識別信号が音として復調されることによる雑音の出力を回避できる。また、送信部１２８は、終了識別信号が出力されるまでは、解除信号を維持するので、正常な音声信号は遮断されることはない。
【００４７】
さらに、無線機１１０は、単に、解除信号の送信を終了するタイミングを早めるといった簡易な構成のため、既存の無線機の大掛かりな変更を要さず、送信側の無線機１１０ａを改変するのみで実現可能であるため、無線通信システム１００を低コストで実現することが可能である。
【００４８】
図４（ａ）の例では、解除信号が受信されなくなるとスピーカ１５０の音声出力を止めるとした。しかし、通信環境によっては受信強度が低くなることがあるため、解除信号が受信されなくなったことをもってスピーカ１５０からの音声出力を厳密に止めてしまうと、頻繁に通話が途切れることになってしまう。そのため、解除信号が受信されなくなってからも、直ぐには音声出力を止めず、所定の時間、スピーカ１５０からの音声出力を維持する構成が考えられる。この場合、解除信号が受信されなくなった理由が、通信環境によるものか、意図的な通信終了によるものかの判別が困難なため、所定の時間を長くとることで、意図的な通信終了を判別することとなる。しかし、この所定の時間が長すぎると、意図的に通信を終了しようとしてもスピーカ１５０からの音声出力がなかなか止められない事態を招いてしまう。
【００４９】
図５は、通信終了時の他の処理の流れを説明するための説明図である。本実施形態において、トーンエンコーダ１２６は、図５に示すように、音声出力を切るための、解除信号と位相を異ならせた（位相をずらした）有効化信号１７２を生成して送信することで、受信側の無線機１１０ｂに、それが意図的な通信終了を示していることを伝達することとする。こうして、受信側の無線機１１０ｂは、確実かつ迅速に通信を終了し、終了識別信号による雑音の発生を回避することが可能となる。さらに、送信側の無線機１１０ａの送信スイッチがＯＦＦになった際に、送信スイッチの操作音や音声が無くなることによってスケルチテール等のノイズ信号が生じてしまう場合がある。有効化信号１７２を送信する構成によって、このノイズ信号についても、受信側の無線機１１０ｂで雑音として出力されてしまう事態を回避することができる。
【００５０】
また、送信制御部１６０は、有効化信号１７２を送信開始させてから、予め定められている、受信側の無線機１１０ｂの出力制限が再び有効化されるまでの所要時間以上の所定時間待って、ＭＳＫエンコーダ１２４に終了識別信号の送信指示を行い、終了識別信号を送信させてもよい。
【００５１】
このように、送信制御部１６０が所定時間待ってからＭＳＫエンコーダ１２４に終了識別信号を生成させる構成により、例えば、受信側の無線機１１０ｂにおいて、有効化信号１７２を受信してから出力制限が再び有効化するまで時間を要する場合においても、出力制限の有効化が完了した後に終了識別信号を受信することになるため、終了識別信号による雑音の発生をより確実に回避できる。
【００５２】
（音声出力制限方法）
続いて、無線機１１０を用いた音声出力制限方法について説明する。図６は、音声出力制限方法の処理の流れを示すシーケンス図である。
【００５３】
通信開始時、ユーザが無線機１１０ａの送信スイッチをＯＮにすると、送信制御部１６０は、ＭＳＫエンコーダ１２４に、開始識別信号を生成させ（Ｓ２００）、送信部１２８に、開始識別信号を搬送波に重畳させ（Ｓ２０２）、送信させる（Ｓ２０４）。
【００５４】
受信側の無線機１１０ｂでは、受信部１３６が開始識別信号を受信すると（Ｓ２０６）、表示制御部１６２は、その開始識別信号に示される送信側の無線機１１０ａのＩＤを表示部１１６に表示させる（Ｓ２０８）。
【００５５】
続いて、送信側の無線機１１０ａにおいて、トーンエンコーダ１２６は、解除信号を生成し（Ｓ２１０）、収音部１２２は、音声信号を生成し（Ｓ２１２）、送信制御部１６０は、送信部１２８に、音声信号と解除信号を搬送波に重畳させ（Ｓ２１４）、受信側の無線機１１０ｂに送信させる（Ｓ２１６）。
【００５６】
受信側の無線機１１０ｂでは、受信部１３６が音声信号と解除信号を受信すると（Ｓ２１８）、制限解除部１６４は、予め設定された周波数の解除信号を受信している間、音声出力にかかる出力制限を解除し続け、音声スイッチ１４６に入力された音声信号をスピーカ１５０に出力させる（Ｓ２２０）。スピーカ１５０は、音声信号を音声として出力する（Ｓ２２２）。
【００５７】
送信側の無線機１１０ａの送信スイッチがＯＦＦになると、送信制御部１６０は、送信部１２８に、音声信号の送信を停止させ（Ｓ２２４）、解除信号の送信を停止させ（Ｓ２２６）、トーンエンコーダ１２６は、有効化信号１７２を生成する（Ｓ２２８）。そして、送信制御部１６０は、トーンエンコーダ１２６に有効化信号１７２を送信させる（Ｓ２３０）。
【００５８】
受信側の無線機１１０ｂにおいて、受信部１３６が有効化信号１７２を受信すると（Ｓ２３２）、制限解除部１６４は、音声スイッチ１４６を制御して、音声スイッチ１４６に入力された音声信号を遮断させて、音声出力にかかる出力制限を有効化する（Ｓ２３４）。
【００５９】
そして、送信側の無線機１１０ａのＭＳＫエンコーダ１２４は、終了識別信号を生成し（Ｓ２３６）、送信制御部１６０は、ＭＳＫエンコーダ１２４に終了識別信号の送信指示を行って、終了識別信号を送信させ（Ｓ２３８）、受信側の無線機１１０ｂでは、受信部１３６が終了識別信号を受信し（Ｓ２４０）、表示制御部１６２は、受信した信号が終了識別信号を示すと、表示部１１６へのＩＤの表示を終了する（Ｓ２４２）。
【００６０】
このように、上述した音声出力制限方法を用いることで、通信終了時に、識別信号が音として復調されることによる雑音の発生を回避することができる。
【００６１】
以上、添付図面を参照しながら本発明の好適な実施形態について説明したが、本発明はかかる実施形態に限定されないことは言うまでもない。当業者であれば、特許請求の範囲に記載された範疇において、各種の変更例または修正例に想到し得ることは明らかであり、それらについても当然に本発明の技術的範囲に属するものと了解される。
【００６２】
なお、本明細書の音声出力制限方法の各工程は、必ずしもシーケンス図として記載された順序に沿って時系列に処理する必要はなく、並列的あるいはサブルーチンによる処理を含んでもよい。
【産業上の利用可能性】
【００６３】
本発明は、無線通信に用いられる無線通信システム、送信機、音声出力制限方法、および送信方法に利用することができる。
【符号の説明】
【００６４】
１００  …無線通信システム
１１０（１１０ａ、１１０ｂ）  …無線機（送信機、受信機）
１２２  …収音部
１２４  …ＭＳＫエンコーダ（識別信号生成部）
１２６  …トーンエンコーダ（解除信号生成部）
１２８  …送信部
１３６  …受信部
１６０  …送信制御部
１６４  …制限解除部
１７２  …有効化信号
【図１】
0005333393.tif 000002
【図２】
0005333393.tif 000003
【図３】
0005333393.tif 000004
【図４】
0005333393.tif 000005
【図５】
0005333393.tif 000006
【図６】
0005333393.tif 000007